(57)【特許請求の範囲】
【請求項１】
ユーザ機器（ＵＥ）から、プライマリアップリンク周波数、および少なくとも１つのセカンダリアップリンク周波数で情報を受信するように構成された回路と、
前記ＵＥへ、プライマリダウンリンク周波数、および高速ダウンリンク共有チャネル（ＨＳ−ＤＳＣＨ）を有する少なくとも１つのセカンダリダウンリンク周波数で情報を送信するように構成された回路と、
前記ＵＥへ、前記少なくとも１つのセカンダリアップリンク周波数を非活性化するための高速共有制御チャネル（ＨＳ−ＳＣＣＨ）命令を送信するように構成された回路と、
を備え、
前記ＨＳ−ＳＣＣＨ命令後に、前記ＨＳ−ＤＳＣＨを有する前記少なくとも１つのセカンダリダウンリンク周波数は活性され続け、非活性化時に、前記少なくとも１つのセカンダリアップリンク周波数に関連するハイブリッド自動再送要求（ＨＡＲＱ）処理がフラッシュされる
ことを特徴とする無線ネットワーク。
【請求項２】
前記少なくとも１つのセカンダリアップリンク周波数の送信電力は、前記プライマリアップリンク周波数の送信電力に関連づけられることを特徴とする請求項１に記載の無線ネットワーク。
【請求項３】
前記少なくとも１つのセカンダリアップリンク周波数において送信された個別物理制御チャネル（ＤＰＣＣＨ）の送信電力は、前記プライマリアップリンク周波数において送信された別のＤＰＣＣＨの送信電力に関連づけられることを特徴とする請求項１に記載の無線ネットワーク。
【請求項４】
前記プライマリアップリンク周波数および前記少なくとも１つのセカンダリアップリンク周波数は、独立の不連続送信（ＤＴＸ）オペレーションを有することを特徴とする請求項１に記載の無線ネットワーク。
【請求項５】
前記受信するように構成された回路および前記送信するように構成された回路は、ノードＢ、基地局、サイトコントローラ、またはアクセスポイント（ＡＰ）の一部であることを特徴とする請求項１に記載の無線ネットワーク。
【発明の詳細な説明】
【技術分野】
【０００１】
本出願は、無線通信に関する。
【背景技術】
【０００２】
無線通信システムは、データネットワークへの連続的でより高速なアクセスを提供するという必要性を満たすために発展を続けている。これらの必要性を満たすため、無線通信システムは、データの送信のために複数のキャリアを使用することができる。データの送信のために複数のキャリアを使用する無線通信システムは、マルチキャリアシステムと呼ばれることがある。複数のキャリアの使用は、セル方式およびセル方式以外の両方の無線システムにおいて拡大している。
【０００３】
マルチキャリアシステムは、無線通信システムで利用可能な帯域幅を増加させることができる。例えば、デュアルキャリアシステムは、単一キャリアシステムと比較した場合、帯域幅を２倍にすることができ、トリキャリア（tri-carrier）システムは、単一キャリアシステムと比較した場合、帯域幅を３倍にすることができる。このような回線容量の利得に加えて、ダイバーシティの利得およびジョイントスケジューリング（joint scheduling）の利得も得ることができる。これによって、エンドユーザに対するＱｏＳ（サービス品質）の向上をもたらすことができる。さらに、複数のキャリアの使用は、ＭＩＭＯ（multiple-input multiple-output（多入力・多出力））と組み合わせて使用することもできる。
【０００４】
例えば、３ＧＰＰ（第３世代パートナーシッププロジェクト）システムとの関連では、ＤＣ−ＨＳＤＰＡ（デュアルセル・高速ダウンリンクパケットアクセス）が、３ＧＰＰ仕様書のリリース８に含まれる。ＤＣ−ＨＳＤＰＡを用いた場合、基地局（ノードＢと呼ばれることもある）は、同時に２つのダウンリンクキャリアを介して、ＷＴＲＵ（wireless transmit/receive unit（無線送受信ユニット））へ伝送を行う。これは、ＷＴＲＵが利用可能な帯域幅およびピークデータレートを２倍にすることができ、２つのキャリアを介した高速スケジューリングおよび高速チャネルフィードバックを用いて、ネットワーク効率を増加させる可能性も有している。
【０００５】
ＤＣ−ＨＳＤＰＡオペレーションの場合、各ＷＴＲＵには、アンカーキャリア（プライマリキャリア）および補助キャリア（セカンダリキャリア）という２つのダウンリンクキャリアを割り当てることができる。アンカーキャリアは、ＨＳ−ＤＳＣＨ（high speed downlink shared channel）、Ｅ−ＤＣＨ（enhanced dedicated channel）、およびＤＣＨ（dedicated channel）オペレーションのために使用される個別制御チャネルおよび共通制御チャネル（例えば、Ｆ−ＤＰＣＨ（fractional dedicated physical channel）、Ｅ−ＨＩＣＨ（E-DCH HARQ indicator channel）、Ｅ−ＲＧＣＨ（E-DCH relative grant channel）、Ｅ−ＡＧＣＨ（E-DCH absolute grant channel）、ＣＰＩＣＨ（common pilot channel）、ＨＳ−ＳＣＣＨ（high speed shared control channel）、およびＨＳ−ＰＤＳＣＨ（high speed physical downlink shared channel）など）を搬送することができる。補助キャリアは、ＷＴＲＵのためのＣＰＩＣＨ、ＨＳ−ＳＣＣＨ、およびＨＳ−ＰＤＳＣＨを搬送することができる。現行システムでは、アップリンク送信は、単一キャリアのままである。ＨＳ−ＤＰＣＣＨ（high speed dedicated physical control channel）フィードバック情報は、アップリンクキャリア上でノードＢに提供することができ、各ダウンリンクキャリアについての情報を含む。
【０００６】
図１は、ＤＣ−ＨＳＤＰＡオペレーションについてのＭＡＣ（メディアアクセス制御）レイヤの構造を示している。ＭＡＣ−ｅｈｓエンティティは、ＨＳ−ＤＳＣＨトランスポートチャネル当たり１つのＨＡＲＱ（ハイブリッド自動再送要求）エンティティを含む。ＨＡＲＱ再送は、同じトランスポートチャネルを介して行われることがあり、したがって、各ＨＳ−ＤＳＣＨトランスポートチャネルが物理チャネルリソースへの固定されたマッピングを有する場合、２以上のキャリアを使用することにより潜在的にもたらされる周波数ダイバーシティの利益を制限することがある。しかしながら、ＨＳ−ＤＳＣＨと物理リソース（例えば、符号およびキャリア周波数）の間のマッピングは、ダイバーシティ利益を提供するために、動的に変更されうることが提案されている。
【０００７】
アップリンクにおけるデータレートおよび容量を増加させるために、マルチキャリアまたはマルチセルアップリンク送信を実施することができる。例えば、マルチセルアップリンク送信の使用は、ＷＴＲＵのデータ処理および電力消費を改善することができる。しかし、複数のアップリンクキャリアが、非動作の期間中でさえも、アップリンク上で継続的に送信しているので、ＷＴＲＵのバッテリ寿命が、著しく短くなることがある。加えて、セカンダリアップリンクキャリア上での連続的なＤＰＣＣＨ送信は、システム容量に悪影響を有することがある。
【０００８】
単一キャリアアップリンク送信のためには、ＣＰＣ（continuous packet connectivity）オペレーションが実施され、それはＣＥＬＬ＿ＤＣＨ中にＷＴＲＵが電力消費を低減させる助けとなるが、マルチキャリアアップリンク通信用の電力制御のための方法および装置が望まれる。
【発明の概要】
【０００９】
複数のアップリンクキャリアおよび複数のダウンリンクキャリアを利用するための方法および装置が開示される。ＷＴＲＵは、プライマリアップリンクキャリアおよびプライマリダウンリンクキャリアを活性化し、ネットワークからの命令に基づいて、またはあらかじめ設定された状態を検出した時に、セカンダリアップリンクキャリアを活性化または非活性化する。命令は、ＨＳ−ＳＣＣＨ命令など、物理レイヤ信号とすることができる。
【００１０】
ＷＴＲＵは、セカンダリアップリンクキャリアの非活性化時に、セカンダリダウンリンクキャリアを非活性化することができ、またはこれの逆を行うことができる。ＷＴＲＵは、セカンダリダウンリンクキャリアの活性化時に、セカンダリアップリンクキャリアを活性化することができる。ＷＴＲＵは、プライマリアップリンクキャリア上でのＤＴＸ（不連続送信）活性化／非活性化時に、セカンダリアップリンクキャリアを非活性化／活性化することができる。命令は、ＨＳ−ＳＣＣＨ命令またはＥ−ＡＧＣＨメッセージを介して送信することができる。ＷＴＲＵは、Ｅ−ＤＣＨ送信の非活性化、バッファ状態、チャネル状態、電力制限、または他の類似のトリガに基づいて、セカンダリアップリンクキャリアを非活性化することができる。
【００１１】
セカンダリアップリンクキャリアが活性化される場合、セカンダリアップリンクキャリア上でのＥ−ＤＣＨ送信の開始よりも所定の期間だけ前に、ＤＰＣＣＨ送信を開始することができる。セカンダリアップリンクキャリアにおける初期ＤＰＣＣＨ送信電力は、プライマリアップリンクキャリアにおけるＤＰＣＣＨ送信電力に基づいて設定することができ、またはネットワークによって伝達された値に設定することができる。セカンダリアップリンクキャリアの活性化時には、セカンダリアップリンクキャリア上での初期Ｅ−ＤＣＨ送信のために、デフォルトのグラント（grant）値を使用することができる。
【００１２】
セカンダリアップリンクキャリアの活性化時には、プライマリアップリンクキャリアのために設定されたのと同じＤＴＸ状態を、セカンダリアップリンクキャリアのために使用することができる。プライマリアップリンクキャリアおよびセカンダリアップリンクキャリアについてのＤＴＸパターンは、揃えること（align）ができ、または独立に構成することができる。
【図面の簡単な説明】
【００１３】
より詳細な理解は、添付の図面と併せて、例として与えられる以下の説明から得ることができる。
【図１】ＤＣ−ＨＳＤＰＡオペレーションのためのＭＡＣレイヤの構造を示す図である。
【図２】無線通信システムの一例を示す図である。
【図３】図２の無線通信システムのＷＴＲＵの一例およびノードＢの一例の機能ブロック図である。
【図４】ある実施形態による、２つのアップリンクキャリアをＵＴＲＡＮへ送信するように構成されたＷＴＲＵの一例を示す図である。
【図５】別の実施形態による、２つのアップリンクキャリアをＵＴＲＡＮへ送信するように構成されたＷＴＲＵの一例を示す図である。
【図６】ＷＴＲＵにおける動的キャリア調整を示すフロー図である。
【図７】ＨＳ−ＳＣＣＨ命令による、キャリア活性化／非活性化の様々な状態の間での変移の例を示す図である。
【図８】ＮＢＡＰを使用する、セカンダリアップリンクキャリアの活性化／非活性化を通知するシグナリングを示す図である。
【図９】ＮＢＡＰおよびＲＮＳＡＰを使用する、セカンダリアップリンクキャリアの活性化／非活性化を通知するシグナリングを示す図である。
【図１０】ＷＴＲＵにおける自律的な動的キャリア調整のための方法を示すフロー図である。
【図１１】セカンダリアップリンクキャリアの非活性化に関連する手順を説明するフロー図である。
【図１２】セカンダリアップリンクキャリアの活性化に関連する手順を説明するフロー図である。
【発明を実施するための形態】
【００１４】
これ以降で言及される場合、「ＷＴＲＵ」という用語は、限定することなく、ＵＥ（ユーザ機器）、移動局、固定もしくは移動加入者ユニット、ページャ、セルラ電話、ＰＤＡ（携帯情報端末）、コンピュータ、Ｍ２Ｍ（machine-to-machine）装置、センサ、または無線環境で動作可能な他の任意のタイプの装置を含む。これ以降で言及される場合、「ノードＢ」という用語は、限定することなく、基地局、サイトコントローラ、ＡＰ（アクセスポイント）、または無線環境で動作可能な他の任意のタイプのインタフェース装置を含む。
【００１５】
ネットワークは、少なくとも１つのダウンリンクキャリアおよび／または少なくとも１つのアップリンクキャリアを、それぞれアンカーダウンリンクキャリアおよびアンカーアップリンクキャリアとして割り当てることができる。マルチキャリアのオペレーションにおいて、ＷＴＲＵは、２または３以上のキャリア（周波数とも呼ばれる）を用いて動作するように構成することができる。これらのキャリアの各々は、異なる特性、ならびにネットワークおよびＷＴＲＵとの異なる論理的関連性を有することができる。用いられる周波数は、グループ化することができ、アンカー（またはプライマリ）キャリア、および補助（またはセカンダリ）キャリアと呼ばれることがある。これ以降、「アンカーキャリア」と「プライマリキャリア」という用語、および「補助キャリア」と「セカンダリキャリア」という用語は、それぞれ交換して使用することができるものとする。３以上のキャリアが構成される場合、ＷＴＲＵは、２以上のプライマリキャリアおよび／または２以上のセカンダリキャリアを含むことができる。本明細書で説明される実施形態は、これらの状況にも同様に適用可能であり、これらの状況に合わせて拡張することができる。例えば、アンカーキャリアは、ダウンリンク／アップリンク送信のための特定の制御情報のセットを搬送するためのキャリアとして定義することができる。アンカーキャリアとして割り当てられないキャリアはいずれも、補助キャリアとすることができる。あるいはまた、ネットワークは、アンカーキャリアを割り当てなくてもよく、いずれのダウンリンクキャリアまたはアップリンクキャリアにも、優先権、選択（preference）、またはデフォルト状態を与えなくてよい。マルチキャリアのオペレーションの場合、２以上の補助キャリアすなわちセカンダリキャリアが存在しうる。
【００１６】
図２は、無線通信システム１００の一例を示している。無線通信システム１００は、複数のＷＴＲＵ１１０、ノードＢ１２０、ＣＲＮＣ（controlling radio network controller）１３０、ＳＲＮＣ（serving radio network controller）１４０、コアネットワーク１５０を含む。ノードＢ１２０およびＣＲＮＣ１３０は、ＳＲＮＣ１４０とともに、一括して、ＵＴＲＡＮと呼ばれることもある。
【００１７】
図２に示されるように、ＷＴＲＵ１１０は、ノードＢ１２０と通信する。ノードＢ１２０は、ＣＲＮＣ１３０およびＳＲＮＣ１４０と通信する。ＷＴＲＵ１１０とノードＢ１２０の間の通信は、複数のダウンリンクキャリア（例えば、少なくとも１つのプライマリダウンリンクキャリアおよび少なくとも１つのセカンダリダウンリンクキャリア）、ならびに複数のアップリンクキャリア（例えば、少なくとも１つのプライマリアップリンクキャリアおよび少なくとも１つのセカンダリアップリンクキャリア）を介して実行することができる。図２には、３つのＷＴＲＵ１１０、１つのノードＢ１２０、１つのＣＲＮＣ１３０、および１つのＳＲＮＣ１４０が示されているが、無線および有線装置の任意の組合せが無線通信システム１００に含まれうることに留意されたい。
【００１８】
図３は、図２の無線通信システム１００のＷＴＲＵ１１０およびノードＢ１２０の機能ブロック図である。図３に示されるように、ＷＴＲＵ１１０は、ノードＢ１２０と通信し、どちらも、複数のアップリンクキャリアを用いてアップリンク送信を実行する方法を実施するように構成される。ＷＴＲＵ１１０は、プロセッサ１１５、受信機１１６、送信機１１７、メモリ１１８、アンテナ１１９、典型的なＷＴＲＵに見出しうる他のコンポーネント（図示せず）を含む。メモリ１１８は、オペレーティングシステム、アプリケーションなどを含む、ソフトウェアを格納するために提供される。プロセッサ１１５は、単独で、またはソフトウェアと連携して、複数のアップリンクキャリアを用いてアップリンク送信を実行する方法を実施するために提供される。受信機１１６および送信機１１７は、プロセッサ１１５と通信する。受信機１１６および／または送信機１１７は、同時に複数のキャリア上でそれぞれ受信および／または送信するように構成することができる。あるいはまた、ＷＴＲＵ１１０は、複数の受信機および／または複数の送信機を含むことができる。アンテナ１１９は、無線データの送信および受信を容易にするように、受信機１１６および送信機１１７の両方と通信する。
【００１９】
ノードＢ１２０は、プロセッサ１２５、受信機１２６、送信機１２７、アンテナ１２９、典型的な基地局に見出しうる他のコンポーネント（図示せず）を含む。プロセッサ１２５は、単独で、またはソフトウェアと連携して、複数のアップリンクキャリアを用いてアップリンク送信を実行する方法を実施するために提供される。受信機１２６および送信機１２７は、プロセッサ１２５と通信する。受信機１２６および／または送信機１２７は、同時に複数のキャリア上でそれぞれ受信および／または送信するように構成することができる。あるいはまた、ノードＢ１２０は、複数の受信機および／または複数の送信機を含むことができる。アンテナ１２９は、無線データの送信および受信を容易にするように、受信機１２６および送信機１２７の両方と通信する。
【００２０】
本明細書で説明される実施形態は、ＨＳＰＡ+に関連するチャネルを参照して説明されるが、実施形態は、ＬＴＥリリース８以降およびＬＴＥ Advancedなど、他の任意のマルチキャリアシステム（およびそこで使用されるチャネル）、ならびに他の任意のタイプの無線通信システムおよびそこで使用されるチャネルにも適用可能であることに留意されたい。本明細書で説明される実施形態は、任意の順序または任意の組合せでも適用可能としうることにも留意されたい。
【００２１】
セカンダリアップリンクキャリアの活性化および非活性化、ならびにセカンダリアップリンクキャリア上でのＤＴＸの活性化および非活性化についての実施形態が、これ以降で開示される。これ以降で説明される実施形態は、個別に、または他の実施形態と組み合わせて使用することができる。以下で開示される実施形態は、２つのアップリンクキャリア（１つのプライマリキャリアおよび１つのセカンダリキャリア）に関して説明されるが、実施形態は、任意の数のアップリンクキャリアに拡張できることを理解されたい。セカンダリアップリンクキャリアは、セカンダリサービングＥ−ＤＣＨセルと呼ばれることもある。セカンダリダウンリンクキャリアは、セカンダリＨＳ−ＤＳＣＨサービングセルと呼ばれることもある。
【００２２】
図４は、ある実施形態による、複数のアップリンクキャリアをＵＴＲＡＮへ送信するように構成されたＷＴＲＵの一例を示している。ＷＴＲＵ１１０は、アンカーアップリンクキャリア上で、データチャネル（例えば、Ｅ−ＤＰＤＣＨ（Ｅ−ＤＣＨ dedicated physical data channel））、ならびにパイロットチャネルおよび他の制御チャネル（例えば、ＤＰＣＣＨ、Ｅ−ＤＰＣＣＨ（E-DCH dedicated physical control channel）、および／またはＨＳ−ＤＰＣＣＨ（ＨＳ−ＤＳＣＨ dedicated physical control channel））を送信することができる。ＷＴＲＵ１１０は、補助アップリンクキャリア上で、データチャネル（例えば、Ｅ−ＤＰＤＣＨ）およびパイロットチャネルを送信することができる。
【００２３】
アンカーアップリンクキャリアは、ＵＴＲＡＮへ送信されるアップリンク制御シグナリングのすべてまたはほとんどを搬送することができる。制御シグナリングの例は、限定することなく、（１）ＣＱＩ（channel quality information）、ＰＣＩ（precoding control indication）、ＡＣＫ／ＮＡＣＫ  ＨＡＲＱ情報を含む、（ＨＳ−ＤＰＤＣＨなどの）ダウンリンクチャネルのためのフィードバック、（２）アップリンクパイロットシンボル、ＦＢＩ（feedback information）、およびＴＰＣ（transmission power control）コマンドを含む、アップリンク無線リンク制御情報（例えば、アップリンクＤＰＣＣＨ）、または（３）ＨＡＲＱ処理のために使用されるＲＳＮ（retransmission sequence number）、送信されるトランスポートブロックのサイズを示すＥ−ＴＦＣＩ（Ｅ−ＤＣＨ transport format combination index）情報、およびハッピービット（happy bit）を含む、Ｅ−ＤＣＨ制御情報（例えば、Ｅ−ＤＰＣＣＨ）、を含むことができる。データチャネル（例えば、Ｅ−ＤＰＤＣＨ）は、図４に示されるように、アンカーアップリンクキャリア上でユーザトラフィックを搬送することができる。
【００２４】
あるいはまた、図５に示されるように、セカンダリアップリンクキャリアも、セカンダリアップリンクキャリアの送信に関連しうるＥ−ＤＣＨ制御情報を搬送することができる。アンカーアップリンクキャリア上で送信されるＥ−ＤＣＨ制御情報は、アンカーアップリンクキャリア上でのデータ送信に関係することができる。Ｅ−ＤＣＨ制御情報を送信するため、セカンダリアップリンクキャリア上では、（単一キャリアのオペレーションと同様の方法で）データチャネルおよびパイロットチャネルに加えて、別個のＥ−ＤＰＣＣＨを送信することができる。
【００２５】
図６は、ＷＴＲＵ１１０における動的なキャリア調整を示すフロー図である。ＷＴＲＵ１１０は、通信ネットワークにおけるトラフィック制御のため、またはネットワークで定まる、あるいは予め定められた理由のため、ＷＴＲＵ１１０におけるデータ処理の負荷を低減させるように、この動的キャリア調整を電力制御手順の一部として実行するように構成することができる。図６に示されるように、ＷＴＲＵ１１０は、セカンダリキャリアを活性化または非活性化するようにＷＴＲＵ１１０に指示する信号を受信する。別の代替形態では、信号は、送信電力調整またはＤＴＸパターン調整またはＤＴＸサイクル調整など、セカンダリキャリアの動作特性を調整するようにＷＴＲＵ１１０に指示することができる。信号は、明示的に伝達することができ、または暗示的に伝達することができる。信号を受信すると、ＷＴＲＵ１１０は、どのキャリアを活性化、非活性化、または変更するかを決定する。ＷＴＲＵ１１０は、その後、適切なセカンダリの活性化、非活性化、または変更手順を実行する。これは、キャリア上において進行中の送信またはスケジューリングされた送信を考慮することを含むことができる。セカンダリキャリアを活性化、非活性化、または変更すると、その後、ＷＴＲＵ１１０は、ＤＴＸパターンを調整するように構成することができる。説明された実施形態は、セカンダリキャリアの制御に対処するが、説明された方法は、アンカーキャリアにも同様に適用できることを理解されたい。
【００２６】
ある実施形態によれば、ＷＴＲＵ１１０は、セカンダリアップリンクキャリアを活性化または非活性化するようにＷＴＲＵ１１０へ通知する明示的な信号をネットワークから受信するように構成することができる。明示的なシグナリングは、限定することなく、レイヤ１シグナリング（例えば、ＨＳ−ＳＣＣＨ命令、Ｅ−ＡＧＣＨ信号）、レイヤ２シグナリング（例えば、ＭＡＣ−ｅｈｓ  ＰＤＵ（プロトコルデータユニット）内のメッセージ、Ｅ−ＲＮＴＩ、またはＭＡＣヘッダ）、またはレイヤ３シグナリング（例えば、ＲＲＣメッセージ）を含むことができる。シグナリングに基づいて、ＷＴＲＵ１１０は、そのセカンダリキャリアを活性化または非活性化することができる。セカンダリアップリンクキャリアの動的制御を実行することによって、ＷＴＲＵ１１０は、しばしば送信電力の節電をできる。
【００２７】
ある実施形態では、ネットワークは、従来のレイヤ１信号（例えば、ＨＳ−ＳＣＣＨ命令）または新しいレイヤ１信号を介して、セカンダリアップリンクキャリアを活性化または非活性化するようにＷＴＲＵ１１０へ明示的に伝達することができる。例えば、ＨＳ−ＳＣＣＨ命令は、セカンダリアップリンクキャリアを活性化または非活性化するように定義することができる。ＨＳ−ＳＣＣＨ命令は、プライマリおよび／またはセカンダリサービングＨＳ−ＤＳＣＨセルを介して送信することができる。レイヤ１信号（例えば、ＨＳ−ＳＣＣＨ命令）を受信すると、ＷＴＲＵ１１０は、セカンダリアップリンクキャリア上での送信を活性化または非活性化する。ＨＳ−ＳＣＣＨ命令の受信は、妥当な場合は、セカンダリアップリンクキャリアに関連するＥ−ＨＩＣＨ、Ｅ−ＲＧＣＨ、Ｅ−ＡＧＣＨなどのダウンリンク制御シグナリングの監視をＷＴＲＵ１１０に停止させる暗示的な指示として機能することもできる。ＨＳ−ＳＣＣＨ命令は、セカンダリダウンリンクキャリアの監視をＷＴＲＵ１１０が停止するように任意選択的に指示することもできる。
【００２８】
ＨＳ−ＳＣＣＨ命令信号は、命令タイプビットｘodt,1、ｘodt,2、ｘodt,3と、命令ビットｘord,1、ｘord,2、ｘord,3とを含むことができる。例えば、命令タイプビットｘodt,1、ｘodt,2、ｘodt,3＝「００１」である場合、ｘord,1、ｘord,2、ｘord,3に対するマッピングは、以下のように定義することができる。
【００２９】
ｘord,1、ｘord,2、ｘord,3は、
予備（１ビット）：ｘord,1＝ｘres,1
セカンダリサービングＥ−ＤＣＨセル活性化（１ビット）：ｘord,2＝ｘE‐DCH_secondary,1
セカンダリサービングＨＳ−ＤＳＣＨセル活性化（１ビット）：ｘord,3＝ｘsecondary,1
から構成することができる。
【００３０】
ｘE‐DCH_secondary,1＝「０」である場合、ＨＳ−ＳＣＣＨ命令は、セカンダリサービングＥ−ＤＣＨセル非活性化命令とすることができ、
ｘE‐DCH_secondary,1＝「１」である場合、ＨＳ−ＳＣＣＨ命令は、セカンダリサービングＥ−ＤＣＨセル活性化命令とすることができる。
【００３１】
ｘsecondary,1＝「０」である場合、ＨＳ−ＳＣＣＨ命令は、セカンダリサービングＨＳ−ＤＳＣＨセル非活性化命令とすることができる。
【００３２】
ｘsecondary,1＝「１」である場合、ＨＳ−ＳＣＣＨ命令は、セカンダリサービングＨＳ−ＤＳＣＨセル活性化命令とすることができる。
【００３３】
図７は、ＨＳ−ＳＣＣＨ命令による、キャリア活性化／非活性化の様々な状態の間での変移の例を示している。ＨＳ−ＳＣＣＨ命令「０００」は、セカンダリサービングＥ−ＤＣＨセルおよびセカンダリＨＳ−ＤＳＣＨセルの両方が非活性化される状態への状態変移を引き起こす。ＨＳ−ＳＣＣＨ命令「００１」は、セカンダリサービングＥ−ＤＣＨセルが非活性化され、セカンダリＨＳ−ＤＳＣＨセルが活性化される状態への状態変移を引き起こす。ＨＳ−ＳＣＣＨ命令「０１１」は、セカンダリサービングＥ−ＤＣＨセルおよびセカンダリＨＳ−ＤＳＣＨセルの両方が活性化される状態への状態変移を引き起こす。
セカンダリサービングＥ−ＤＣＨセルが活性化され、セカンダリＨＳ−ＤＳＣＨセルが非活性化される状態も定義することができ（図７には図示せず）、その状態への変移に対しては、ＨＳ−ＳＣＣＨ命令「０１０」を使用することができる。
【００３４】
あるいはまた、この目的のために、新しい命令タイプを定義することができる。この代替手法は、２以上のアップリンクキャリアに拡張可能とすることができる。例えば、命令タイプビットｘodt,1、ｘodt,2、ｘodt,3＝「０１０」である場合、ｘord,1、ｘord,2、ｘord,3に対するマッピングは、以下のように定義することができる。
【００３５】
ｘord,1、ｘord,2、ｘord,3は、
予備（２ビット）：ｘord,1、ｘord,2＝ｘres,1、ｘres,2
セカンダリサービングＥ−ＤＣＨセル活性化（１ビット）：ｘord,3＝ｘE‐DCH_secondary,1
から構成することができる。
【００３６】
ｘE‐DCH_secondary,1＝「０」である場合、ＨＳ−ＳＣＣＨ命令は、セカンダリサービングＥ−ＤＣＨセル非活性化命令とすることができ、
ｘE‐DCH_secondary,1＝「１」である場合、ＨＳ−ＳＣＣＨ命令は、セカンダリサービングＥ−ＤＣＨセル活性化命令とすることができる。
【００３７】
別の実施形態では、ＷＴＲＵ１１０によって受信された命令は、いずれかのセカンダリアップリンクキャリアを活性化または非活性化するための明示的なシグナリングとして使用することができる。例えば、セカンダリダウンリンクキャリアを活性化または非活性化するために使用されるＨＳ−ＳＣＣＨ命令は、セカンダリアップリンクキャリアを活性化または非活性化するために使用することができる。セカンダリダウンリンクキャリアを非活性化するために使用されるＨＳ−ＳＣＣＨ命令は、セカンダリアップリンクキャリアも非活性化するようにＷＴＲＵ１１０に暗示的に命令することができる。したがって、セカンダリダウンリンクキャリアがネットワークによって非活性化された場合、ＷＴＲＵ１１０は、セカンダリアップリンクキャリアも非活性化することができる。しかしながら、セカンダリダウンリンクキャリアを活性化するためのＨＳ−ＳＣＣＨ命令は、セカンダリアップリンクキャリアを同様には暗示的に活性化しないかもしれない。あるいはまた、ＷＴＲＵ１１０は、セカンダリダウンリンクキャリアの活性化とともに、セカンダリアップリンクキャリアを活性化するように構成することもできる。
【００３８】
別の実施形態では、ＷＴＲＵ１１０は、セカンダリアップリンクキャリアを暗示的に非活性化できる、プライマリアップリンクキャリアのためのＤＴＸ活性化命令を受信することができる。ＤＴＸ非活性化は、セカンダリアップリンクキャリアを再活性化することができる。あるいはまた、セカンダリアップリンクキャリアを再活性化するために、明示的な活性化命令を使用することもできる。
【００３９】
別の実施形態によれば、セカンダリアップリンクキャリアを非活性化または活性化するようにＷＴＲＵ１１０に明示的に通知するために、Ｅ−ＡＧＣＨを使用することができる。例えば、ノードＢ１２０は、「ＩＮＡＣＴＩＶＥ」に設定された絶対グラント値（absolute grant value）を「すべてのＨＡＲＱ処理」に設定された絶対グラントスコープ（absolute grant scope）とともに伝達するために、または代替として、ゼロに設定された絶対グラント値を伝達するために、セカンダリアップリンクキャリアに関連するＥ−ＡＧＣＨ（または代替として、プライマリキャリアに関連するＥ−ＡＧＣＨ）を使用することができる。あるいはまた、セカンダリアップリンクキャリアの非活性化または活性化を伝達するために、特定の絶対グラント値、または絶対グラント値と絶対グラントスコープの組合せを予約しておくことができる。この絶対グラントメッセージを受信すると、ＷＴＲＵ１１０は、セカンダリアップリンクキャリアを非活性化する。
【００４０】
あるいはまた、絶対グラントメッセージに、追加のフィールドを追加することもできる。例えば、このフィールドは、セカンダリアップリンクキャリアを活性化または非活性化するようにＷＴＲＵ１１０に指示するための１ビットを含むことができる。このビットが設定された場合、ＷＴＲＵ１１０は、セカンダリアップリンクキャリアを非活性化することができる。これは、プライマリアップリンクキャリアまたはセカンダリアップリンクキャリアのためのスケジューリングを制御するために使用されるいかなるＥ−ＡＧＣＨにおいても伝達することができる。任意選択的に、セカンダリアップリンクキャリアが非活性化されているときの、プライマリアップリンクキャリアのためのＥ−ＡＧＣＨにおけるこのビットの未設定は、セカンダリアップリンクキャリアを活性化するようにＷＴＲＵ１１０に指示することができる。別の実施形態では、絶対グラントに複数のビットを追加することができ、各ビットは、１つまたは複数の補助キャリアに対応する。あるいはまた、セカンダリアップリンクキャリアを活性化するために、本明細書で説明される他の方法を使用することもできる。
【００４１】
あるいはまた、セカンダリアップリンクキャリアの非活性化または活性化を指示するために、絶対グラント値フィールドの特別な値を使用することもできる。
【００４２】
あるいはまた、セカンダリアップリンクキャリアの活性化または非活性化を指示するために、絶対グラントスコープビットを再解釈することもできる。
【００４３】
あるいはまた、ＷＴＲＵ１１０は、セカンダリアップリンクキャリアを非活性化または活性化するために、レイヤ２メッセージを使用することもできる。レイヤ２メッセージは、ＭＡＣ−ｅｈｓ  ＰＤＵ（プロトコルデータユニット）内に含めることができる。例えば、このメッセージの存在を示すために、任意選択的に４つの予備ビットが続く、ＬＣＨ−ＩＤ（logical channel identity）フィールドの特別な値を使用することができ、４つの予備ビットのうちの２つは、セカンダリアップリンクキャリアの活性化または非活性化を指示するために、予約しておくことができる。
【００４４】
あるいはまた、別個のＥ−ＲＮＴＩを、ＷＴＲＵに割り当てて、セカンダリアップリンクキャリアの非活性化または活性化をＥ−ＡＧＣＨを介して指示するために使用することができる。セカンダリアップリンクキャリアが活性化または非活性化される場合、特別のＥ−ＲＮＴＩを用いて、Ｅ−ＡＧＣＨをマスキングすることができる。特別のＥ−ＲＮＴＩを伴ったこのＥ−ＡＧＣＨを検出すると、ＷＴＲＵ１１０は、セカンダリアップリンクキャリアを活性化または非活性化する。非活性化命令を伝達する場合、このＥ−ＡＧＣＨ送信における絶対グラント値は、例えば、「ゼロ」または「非活性」に設定することができる。セカンダリアップリンクキャリアを再び使用可能にする場合、このＥ−ＡＧＣＨ送信における絶対グラント値は、セカンダリアップリンクキャリアが活性化されるときの初期Ｅ−ＤＣＨ送信のために使用するようにネットワークがＷＴＲＵ１１０に割り当てた値に設定することができる。
【００４５】
レイヤ１またはレイヤ２シグナリングを使用する、セカンダリアップリンクキャリアを非活性化または活性化するための指示は、サービング(serving)ノードＢ１２０から出すことができる。ＷＴＲＵ１１０のアクティブセット内の他のノードＢ（複数）も、ＷＴＲＵからのセカンダリアップリンクチャネルを監視していることができるので、他のノードＢ（複数）は、ＷＴＲＵ１１０がセカンダリアップリンクキャリア（複数可）を非活性化または活性化するという通知から利益を得ることができる。非活性化または活性化の通知は、ネットワークからの非活性化もしくは活性化命令に対する肯定応答、またはＷＴＲＵが開始したもしくはＷＴＲＵが支援する非活性化もしくは活性化の通知とすることができる。ある実施形態によれば、ＷＴＲＵ１１０は、セカンダリアップリンクキャリアが非活性化または活性化されたという通知をアップリンクにおいて送信することができる。
【００４６】
通知は、以下の方法のいずれかで実現することができる。Ｅ−ＴＦＣＩ（Ｅ−ＤＣＨ transport format combination index）の特別な値または予約された値を、Ｅ−ＤＰＣＣＨを介してアップリンクにおいて送信することができる。ＷＴＲＵ１１０は、対応するアップリンクキャリア上で送信するデータが存在しない（すなわち、Ｅ−ＤＰＤＣＨが送信されない）ときに、特別なＥ−ＴＦＣＩを送信することができる。
【００４７】
あるいはまた、この通知を伝達するために、セカンダリアップリンクキャリアにおけるＥ−ＤＰＣＣＨのハッピービットを使用することができる。ハッピービットは、制御チャネル（例えば、Ｅ−ＤＰＣＣＨ）におけるレート要求およびＳＩ（スケジューリング情報）に関係するフラグとして実施することができる。ハッピービットは、帯域内で（例えば、Ｅ−ＤＣＨ上で）送信することができる。ハッピービットは、セカンダリアップリンクキャリアの非活性化または活性化を通知するために、再使用および再解釈することができる。例えば、ハッピネス（happiness）の通知はアンカーキャリアまたは代替として別のセカンダリキャリアを介して送信できるので、セカンダリアップリンクキャリアのチャネル（例えば、Ｅ−ＤＰＣＣＨ）において送信されるハッピービットは、ハッピネスの状態を通知する代わりに、セカンダリキャリアを非活性化できることを他のノードＢに通知することができる。３つ以上のキャリアを用いるマルチキャリアシステムでは、１つまたは複数のハッピービットを使用することができる。
【００４８】
あるいはまた、ＷＴＲＵ１１０がセカンダリアップリンクキャリアを非活性化したこと、または非活性化しようとしていることを通知するために、ＳＩ（スケジューリング情報）の特別な値を使用することができる。例えば、セカンダリアップリンクキャリアの暗示的な非活性化を報告するために、ゼロに設定されたＴＥＢＳ（total E-DCH buffer status）の値を使用することができる。あるいはまた、ＷＴＲＵ１１０は、セカンダリアップリンクキャリアの暗示的な非活性化を通知するために、ゼロに設定された電力空き高（power headroom）を使用することができる。ＳＩフィールド内に２つの電力空き高フィールドが存在する場合、ＷＴＲＵ１１０は、セカンダリアップリンクキャリアについてのゼロの電力空き高を報告することができる。あるいはまた、あらかじめ設定されたしきい値よりも低くなりうるＴＥＢＳ値も、セカンダリアップリンクキャリアの非活性化を伝達することができる。あるいはまた、セカンダリアップリンクキャリアの非活性化または活性化を通知するために、ＨＬＩＤ（highest logical channel identity）またはＨＬＢＳ（highest priority logical channel buffer status）の特別に予約された値を使用することができる。
【００４９】
あるいはまた、セカンダリアップリンクキャリアの非活性化を通知するために、ＬＣＨ−ＩＤフィールドの特別な値、例えば、４つの予備ビットのうちの１つまたは２つの値を使用する、ＭＡＣ−ｉヘッダにおけるレイヤ２シグナリングを使用することができる。
【００５０】
あるいはまた、サービングノードＢ１２０は、セカンダリアップリンクキャリアが非活性化されたこと、または通知の送信からある数のＴＴＩ（送信時間間隔）の後に非活性化されうることを、アクティブセット内のすべてのセルに伝達することができる。例えば、セカンダリアップリンクキャリアが非活性化または活性化されたことを通知するためのシグナリング手順は、図８および図９に示されるような、ＮＢＡＰ（Node-B application part）（Ｉｕｂ）プロトコルおよびＲＮＳＡＰ（radio network subsystem application part）（Ｉｕｒ）プロトコルを使用して、実現することができる。
【００５１】
図８は、ＮＢＡＰを使用する、セカンダリアップリンクキャリアの活性化／非活性化を通知するシグナリングを示している。図８では、サービングノードＢが、特定のＷＴＲＵのためのセカンダリアップリンクキャリアが活性化または非活性化されたことを通知する活性化／非活性化の状態報告（status report）を、ＮＢＡＰ（Ｉｕｂ）を介して、ＲＮＣに送信し、ＲＮＣは、状態報告を、ＮＢＡＰを介して、アクティブセット内の非サービングノードＢに転送する。図９は、ＮＢＡＰおよびＲＮＳＡＰを使用する、セカンダリアップリンクキャリアの活性化／非活性化を通知するシグナリングを示している。図９では、２つのＲＮＳ（無線ネットワークサブシステム）が関与する。サービングノードＢは、特定のＷＴＲＵのためのセカンダリアップリンクキャリアが活性化または非活性化されたことを通知する活性化／非活性化の状態報告を、ＮＢＡＰ（Ｉｕｂ）を介して、サービングノードＢを制御するＲＮＣに送信する。その後、ＲＮＣは、状態報告を、ＮＢＡＰを介して、そのＲＮＣによって制御されるアクティブセット内の非サービングノードＢ（複数）に転送する。ＲＮＣは、状態報告を、ＲＮＳＡＰ（例えば、Ｉｕｒインタフェース）を介して、異なるＲＮＣによって制御されるアクティブセット内の他の非サービングノードＢにも転送する。
【００５２】
あるいはまた、活性化時刻を、すべての非サービングノードＢに、および任意選択的にＷＴＲＵ１１０にも同様に、通知することができる。例えば、非活性化または活性化命令がＷＴＲＵ１１０に送信されると、サービングノードＢ１２０は、それを他の非サービングノードＢに通知することができる。受信した命令に従ってＷＴＲＵ１１０が始動するまでの時間は、すべての近隣ノードＢがＩｕｂを介して通知を受信したことを確実にするのに十分な長さを有することができる。一定のＩｕｂおよび／またはＩｕｒの待ち時間の要件を仮定してもよい。あるいはまた、サービングノードB１２０は、最初に非サービングノードＢに通知することができ、その後、命令または他のレイヤ１／レイヤ２シグナリングをＷＴＲＵ１１０に送信することができる。
【００５３】
あるいはまた、セカンダリＤＰＣＣＨがいくつかの予備ビットを含む場合、ＷＴＲＵ１１０は、セカンダリアップリンクキャリアの非活性化を通知するために、セカンダリＤＰＣＣＨの予備ビットの１つを使用することができる。これは、Ｅ−ＤＣＨアクティブセットの一部（すなわち、ＤＣＨアクティブセット）ではないセルであっても、この通知を受信しうることを確実にすることができる。
【００５４】
あるいはまた、ＳＩが両方のアップリンクキャリア上で送信される場合、およびセカンダリアップリンクキャリアにおけるＳＩが予備ビットを含む場合、ＷＴＲＵ１１０は、セカンダリアップリンクキャリアの活性化を伝達するために、これらの予備ビットを使用することができる。
【００５５】
セカンダリアップリンクキャリアに属するチャネルにおける未使用予備ビットまたは未使用フィールドの使用に伴う問題は、セカンダリアップリンクキャリアの再活性化を通知するために、これらのビットまたはフィールドを使用できないことである。したがって、そのような場合には、セカンダリアップリンクキャリアの活性化は、すべてのノードＢがアンカーキャリア上で通知を受信しうることを確実にする、上で説明された他の方法を使用して、伝達することができる。
【００５６】
非活性化通知は、アップリンクキャリアのいずれか、すなわち、プライマリキャリアまたはセカンダリキャリア上で、ＷＴＲＵ１１０によって送ることができる。あるいはまた、非活性化通知は、プライマリアップリンクキャリア上で、または非活性化されているアップリンクキャリア（すなわち、セカンダリアップリンクキャリア）上で、送信することができる。
【００５７】
同様に、ＷＴＲＵ１１０は、セカンダリアップリンクキャリア上での送信を再活性化するようにサービングノードＢ１２０によって命令された場合に、セカンダリアップリンクキャリアの再活性化の通知を送信することができる。再活性化通知は、非活性化通知と同様の方法で送信することができる。再活性化通知は、プライマリキャリア上で送信することができる。あるいはまた、サービングノードＢは、セカンダリアップリンクキャリアが活性化されたことを、アクティブセット内のすべてのセルに伝達することができる。例えば、セカンダリキャリアが非活性化されたことを通知するためのシグナリング手順は、上で説明されたようなＮＢＡＰ（Ｉｕｂ）プロトコルおよびＲＮＳＡＰ（Ｉｕｒ）ＲＡＮプロトコルを使用して、実現することができる。
【００５８】
非活性化／活性化通知が、Ｅ−ＤＣＨアクティブセット内のノードＢに送信されると、ＷＴＲＵ１１０は、送達確認を待つことができる。現在のＥ−ＤＣＨオペレーションは、セルのいずれかからＡＣＫが受信されると直ちに、ＰＤＵの送信が成功したと見なすことをＷＴＲＵ１１０に許している。Ｅ−ＤＣＨアクティブセット内のすべてのノードＢが通知を受信したことを確実にするために、ＷＴＲＵ１１０は、各ＲＬＳ（Radio Link Set）（すなわち、各ノードＢ）における少なくとも１つのセルからのＡＣＫの受信を待つことができる。ＷＴＲＵ１１０は、各ＲＬＳのセルの少なくとも１つからＡＣＫを受信した場合、ＨＡＲＱ送信が成功したと見なすことができ、それ以外の場合は、ＨＡＲＱ再送が駆動される。ＲＬＳの少なくとも１つからＡＣＫを受信せず、通知がＨＡＲＱ再送の最大数を超えた場合、ＷＴＲＵ１１０は、通知の送信が不成功であったことを宣言し、通知の新しい送信を駆動することができる。例えば、活性化／非活性化を通知するためにＳＩが使用され、上で規定された基準によれば、ＷＴＲＵ１１０がこのＳＩをすべてのノードＢに正常に送信することに失敗した場合、ＳＩを再び駆動することができる。
【００５９】
あるいはまた、ＷＴＲＵ１１０は、あらかじめ設定された時間にわたって、通知を繰り返し送信するように構成することができる。例えば、ＷＴＲＵ１１０は、すべてのノードＢが通知を受信することを確実にするために、決められた数の連続するＴＴＩにわたって、通知を送信することができる。
【００６０】
図１０は、ＷＴＲＵ１１０における自律的な動的キャリア調整のための方法を示すフロー図である。ＷＴＲＵ１１０は、ネットワークからの明示的な命令または信号無しに、セカンダリアップリンクキャリアを自律的または暗示的に活性化および非活性化するように構成することができる。トリガは、セカンダリキャリアが活性化、非活性化、または変更される必要があることを、ＷＴＲＵ１１０に知らせる（１０１０）。トリガは、例えば、非活性タイマ、バッファ状態、チャネル状態、バッテリ使用量、または位置ベースの状態に基づくことができる。ＷＴＲＵ１１０は、影響されるキャリアを決定する（１０２０）。例えば、デュアルキャリアの場合、ＷＴＲＵ１１０は、トリガがセカンダリキャリアにのみ影響することを自動的に知ることができる。その後、ＷＴＲＵ１１０は、決定されたセカンダリキャリアの活性化、非活性化、または変更のための手順を実行する（１０３０）。ＷＴＲＵ１１０は、キャリアが活性化または非活性化されたことをネットワークに通知する（１０４０）。その後、ＷＴＲＵは、キャリアを調整し、新しいＤＴＸパターンを決定する。あるいはまた、ＤＴＸパターンは、ネットワークによって伝達することができる。
【００６１】
ＷＴＲＵ１１０は、非活性タイマ、またはＴＴＩに関して定義されうる非活性しきい値を有するように構成することができる。非活性しきい値は、ＷＴＲＵ１１０がいかなるＥ−ＤＣＨ送信も有さなかった、連続するＴＴＩの時間または数を定義する。Ｅ−ＤＣＨ送信の非活性が非活性しきい値に達するかもしくは超えた場合、または非活性タイマが満了した場合、ＷＴＲＵ１１０は、セカンダリアップリンクキャリアを非活性化する。Ｅ−ＤＣＨ送信の非活性とは、セカンダリアップリンクキャリア上でＥ−ＤＣＨ送信がないこととすることができ、または代替として、いずれのアップリンクキャリア上でもＥ−ＤＣＨ送信がないこととすることができる。
【００６２】
いつでも（すなわち、ＷＴＲＵ１１０が連続送信モードにある場合でも）、非活性タイマを開始することができ、または非活性しきい値を監視することができる。あるいはまた、ＷＴＲＵ１１０がＷＴＲＵ＿ＤＴＸ＿ｃｙｃｌｅ＿１にある場合に、または代替として、ＷＴＲＵ１１０がＷＴＲＵ＿ＤＴＸ＿ｃｙｃｌｅ＿２に移った後に、非活性タイマを監視してもよい。ＷＴＲＵ＿ＤＴＸ＿ｃｙｃｌｅ＿２は、ＷＴＲＵ＿ＤＴＸ＿ｃｙｃｌｅ＿１よりも長く、ＷＴＲＵ＿ＤＴＸ＿ｃｙｃｌｅ＿２は、ＷＴＲＵ＿ＤＴＸ＿ｃｙｃｌｅ＿１の間の設定された非活性期間の後で、駆動される。あるいはまた、セカンダリアップリンクキャリアの非活性化は、プライマリアップリンクキャリアについて設定されたＤＴＸタイミングに直接的に対応することができる（例えば、同じタイマが使用される）。この場合には、ＷＴＲＵ１１０は、プライマリアップリンクキャリア上でＤＴＸが開始されたときに、セカンダリアップリンクキャリアを非活性化する。あるいはまた、ＷＴＲＵ１１０は、ＤＴＸサイクル２がアンカーキャリア上で開始した（すなわち、ＤＴＸサイクル２を開始するための非活性タイマが満了した）ときに、セカンダリキャリアを非活性化することができる。
【００６３】
あるいはまた、ＷＴＲＵ１１０のバッファ状態は、セカンダリアップリンクキャリアを非活性化または活性化するための暗示的なトリガとして、機能することができる。ＷＴＲＵ１１０は、ＷＴＲＵ１１０が監視できる、所定のＴＥＢＳしきい値を有するように構成することができる。ＷＴＲＵ１１０のバッファ状態がＴＥＢＳしきい値と等しいか、または下回る場合、ＷＴＲＵ１１０は、セカンダリアップリンクキャリアを非活性化することができる。あるいはまた、トリガタイマと組み合わされたＴＥＢＳしきい値を使用することができる。例えば、トリガタイマの持続時間中に、ＴＥＢＳ値がＴＥＢＳしきい値と等しくなるか、または下回った場合、ＷＴＲＵ１１０は、セカンダリアップリンクキャリアを非活性化することができる。
【００６４】
加えて、ＷＴＲＵ１１０は、セカンダリアップリンクキャリアを活性化するために、活性化のＴＥＢＳしきい値を使用することができる。例えば、任意選択的に、あらかじめ設定された期間中に、ＴＥＢＳ値が活性化のＴＥＢＳしきい値を上回った場合、ＷＴＲＵ１１０は、セカンダリアップリンクキャリアを再活性化することができる。この活性化トリガは、セカンダリアップリンクキャリアを非活性化するために使用された方法に関係なく、上で開示された実施形態のいずれにも適用可能とすることができる。
【００６５】
あるいはまた、ＷＴＲＵ１１０は、チャネル状態および／または電力制約に基づいて、セカンダリアップリンクキャリアを非活性化することができる。例えば、ＷＴＲＵ１１０がセルエッジに向かって移動し、電力を制限されるようになると、ＷＴＲＵ１１０は、セカンダリアップリンクキャリアを自律的に非活性化することができる。これは、最大送信電力によって制限される場合は、より大きな帯域幅を利用しても、ＷＴＲＵ１１０にとって利得はわずかであるか、または利得がまったくないという事実によって正当化することができる。
【００６６】
任意選択的に、設定された期間にわたって、アップリンクキャリアの１つ、両方、いずれも、または組合せのアップリンク電力空き高が一定のしきい値を下回った場合に、セカンダリアップリンクキャリアの非活性化を駆動することができる。あるいはまた、プライマリダウンリンクキャリアからのＣＰＩＣＨ（common pilot channel）の受信電力が一定のしきい値を下回った場合に、セカンダリアップリンクキャリアの非活性化を駆動することができる。いずれかのダウンリンクキャリアからのＣＰＩＣＨの受信電力を用いることもできる。あるいはまた、ＷＴＲＵ１１０が、キャリアの１つ、両方、またはいずれにおいても、サービングノードＢ１２０から、所定の数の連続する増加（すなわち、ＵＰ）電力制御コマンドを受信した場合に、セカンダリアップリンクキャリアの非活性化を駆動することもできる。あるいはまた、ＷＴＲＵ１１０が、アンカーキャリアにおける電力空き高を完全に利用するほどのデータおよびグラントを有する（すなわち、ＷＴＲＵ１１０がその最大送信電力によって制限される）場合に、セカンダリアップリンクキャリアの非活性化を駆動することもできる。あるいはまた、セカンダリアップリンクキャリアにおける電力空き高がアンカーアップリンクキャリアにおける電力空き高よりも小さい場合に、セカンダリアップリンクキャリアの非活性化を駆動することもできる。あるいはまた、ＷＴＲＵ１１０が、あらかじめ設定された期間にわたって、セカンダリアップリンクキャリアにおける電力制限が原因で、セカンダリアップリンクキャリア上でいかなるデータも送信できなかった場合に、セカンダリアップリンクキャリアの非活性化を駆動することもできる。上で説明されたしきい値は、ＲＲＣ（無線リソース制御）レイヤなど、より上位のレイヤによってあらかじめ定義または設定できることに留意されたい。
【００６７】
セカンダリアップリンクキャリアを自律的に非活性化すると、ＷＴＲＵ１１０は、セカンダリアップリンクキャリアの非活性化を伝達するために、ネットワークに通知を送信することができる。これは、以下の方法の１つまたは組合せを使用して、または追加として、上で説明された非活性化通知のための方法の１つまたは組合せを使用して、実行することができる。ＷＴＲＵ１１０がセカンダリアップリンクキャリアを非活性化したこと、または非活性化しようとしていることを通知するために、ＳＩの特別な値を使用することができる。例えば、セカンダリアップリンクキャリアの暗示的な非活性化を報告するために、ゼロに設定されたＴＥＢＳの値を使用することができる。あるいはまた、ＷＴＲＵ１１０は、セカンダリアップリンクキャリアの暗示的な非活性化を通知するために、ゼロの電力空き高を使用することができる。ＳＩフィールド内に２つの電力空き高フィールドが存在する場合、ＷＴＲＵ１１０は、セカンダリアップリンクキャリアについてのゼロの電力空き高を通知することができる。あるいはまた、設定されたしきい値よりも低いＴＥＢＳ値を、通知として使用することができる。
【００６８】
あるいはまた、セカンダリアップリンクキャリアの非活性化を通知するために、ＬＣＨ−ＩＤフィールドの特別な値を使用し、および、例えば４つの予備ビットのうちの１つまたは２つの値を使用する、ＭＡＣ−ｉヘッダにおけるレイヤ２シグナリングを使用することができる。あるいはまた、Ｅ−ＴＦＣＩの特別な値または予約された値を、Ｅ−ＤＰＣＣＨにおいて送信することができる。ＷＴＲＵ１１０は、対応するアップリンクキャリア上で送信するデータが存在しない（すなわち、Ｅ−ＤＰＤＣＨが送信されない）ときに、特別なＥ−ＴＦＣＩを送信することができる。
【００６９】
非活性化通知は、アップリンクキャリアのいずれか、すなわち、プライマリキャリアまたはセカンダリキャリア上で、ＷＴＲＵ１１０によって送ることができる。あるいはまた、非活性化通知は、プライマリキャリア上で、または非活性化されているキャリア（すなわち、セカンダリアップリンクキャリア）上で、送信することができる。
【００７０】
あるいはまた、ＷＴＲＵ１１０は、ネットワークに非活性化を通知せずに、セカンダリアップリンクキャリアを非活性化することができる。
【００７１】
上で開示されたすべての実施形態について、ＷＴＲＵ１１０は、明示的な指示の受信または暗示的な基準のトリガの後、決められた数のスロットまたは決められた数のＴＴＩの後に、セカンダリアップリンクキャリアを非活性化することができる。活性化または非活性化のための時間は、ネットワークに肯定応答または通知を送信するための時間、および任意選択的に、Ｉｕｂシグナリングを介してすべてのノードＢに通知するための時間を考慮することができる。
【００７２】
ＷＴＲＵ１１０がネットワークに通知を送信する、暗示的なトリガの場合、ＷＴＲＵ１１０は、セカンダリアップリンクキャリアを非活性化する前に、所与のメッセージに対するＡＣＫが受信されるまで待つことができる。任意選択的に、ＷＴＲＵ１１０は、ＡＣＫを受信した後、セカンダリアップリンクキャリアを活性化または非活性化する前に、決められた数のスロットまたは決められた数のＴＴＩを待つことができる。非活性化は、上で説明されたように了解されうる。例えば、ＷＴＲＵ１１０は、各ＲＬＳの少なくとも１つのセルからのＡＣＫの受信を待つことができる。
【００７３】
アップリンクとダウンリンクのセカンダリキャリアは、協働で活性化および非活性化することができる。ある実施形態によれば、セカンダリダウンリンクキャリアを活性化するための任意のトリガ（例えば、ＨＳ−ＳＣＣＨ命令）によるセカンダリダウンリンクキャリアの活性化時に、セカンダリアップリンクキャリアを活性化することができる。セカンダリダウンリンクキャリアについてのＨＳ−ＤＰＣＣＨフィードバックを提供することを目的とすることができるので、アップリンクにおいてデータを送信する必要がない場合でも、この活性化は起こすことができる。セカンダリダウンリンクキャリアの活性化から一定の数のサブフレームだけ後に、活性化は起こすことができる。
【００７４】
別の実施形態によれば、セカンダリダウンリンクキャリアを非活性化するための任意のトリガ（例えば、ＨＳ−ＳＣＣＨ命令）によるセカンダリダウンリンクキャリアの非活性化時に、セカンダリアップリンクキャリアを非活性化することができる。セカンダリアップリンクキャリアの非活性化は、追加の条件として、セカンダリアップリンクキャリア上でアップリンク方向（すなわち、Ｅ−ＤＣＨ）においてデータ送信が進行中でないこと、および／またはＷＴＲＵ１１０のバッファが空であることを必要とすることができる。
【００７５】
別の実施形態によれば、セカンダリアップリンクキャリアを活性化するための先に定義された任意のトリガ（例えば、ＨＳ−ＳＣＣＨ命令）によるセカンダリアップリンクキャリアの活性化時に、セカンダリダウンリンクキャリアを活性化することができる。セカンダリアップリンクキャリアについてのダウンリンク制御チャネルを提供することを目的とすることができるので、ダウンリンクにおいてデータを送信する必要がない場合でも、この活性化は起こすことができる。セカンダリアップリンクキャリアの活性化から一定の数のサブフレームだけ後に、活性化は起こすことができる。
【００７６】
別の実施形態によれば、セカンダリアップリンクキャリアを非活性化するための任意のトリガ（例えば、ＨＳ−ＳＣＣＨ命令）によるセカンダリアップリンクキャリアの非活性化時に、セカンダリダウンリンクキャリアを非活性化することができる。セカンダリダウンリンクキャリアの非活性化は、追加の条件として、セカンダリダウンリンクキャリア上でダウンリンク方向（すなわち、ＨＳ−ＤＳＣＨ）においてデータ送信が進行中でないことを必要とすることができる。
【００７７】
別の実施形態によれば、単一のトリガによって、アップリンクキャリアおよびダウンリンクキャリアの両方を活性化することも、非活性化することもできる。トリガは、両方のキャリアの活性化または非活性化を指示するＨＳ−ＳＣＣＨ命令の受信とすることができる。これは、例えば、新しいＨＳ−ＳＣＣＨ命令タイプを定義することによって達成することができる。あるいはまた、トリガは、両方のキャリアの活性化または非活性化を指示するＥ−ＡＧＣＨ信号の受信とすることができる。そのようなＥ−ＡＧＣＨ信号は、例えば、「ＩＮＡＣＴＩＶＥ」に対応するビットの組合せ、または「すべてのＨＡＲＱ処理」に設定されたスコープビットを伴った「ゼログラント」に対応する組合せを含むことができる。アップリンクキャリアおよびダウンリンクキャリアの両方を活性化または非活性化することを意図した信号であることを示すために、異なるＥ−ＲＮＴＩ値を使用することができる。両方のキャリアの非活性化のためのトリガは、ＷＴＲＵ１１０のアップリンクバッファ状態が、所定の期間しきい値よりも低く（またはゼロ）、所定の期間セカンダリキャリア上でデータが受信されていないこととすることができる。両方のキャリアの活性化のためのトリガは、ＷＴＲＵ１１０のアップリンクバッファ状態が、所定の期間しきい値よりも高いか（またはゼロ）、または所定のしきい値よりも多量のデータが、所定の期間内にアンカーダウンリンクキャリア上で受信されたこととすることができる。
【００７８】
図１１は、セカンダリアップリンクキャリアの非活性化に関連する手順を説明するフロー図である。方法は、すべてのセカンダリアップリンクキャリアに適用することができる。あるいはまた、各セカンダリアップリンクキャリアは、ＷＴＲＵ１１０によって決定される、またはネットワークによって伝達される、別個の手順を有することができる。信号またはトリガを受信すると、ＷＴＲＵ１１０は、どのアップリンクキャリアを非活性化するかを選択する（１１１０）。選択されたキャリア上での送信は終了される（１１２０）。送信は、所定の期間の後に、または非活性化信号より前にスケジュールされた送信の終了の後に、直ちに終了することができる（１１２０）。その後、ＷＴＲＵ１１０は、関連する制御チャネルの監視を停止する（１１３０）。ＷＴＲＵ１１０は、関連する制御チャネルの送信を停止することができる（１１４０）。ＷＴＲＵ１１０は、明示的なシグナリング、暗示的なシグナリングに基づいて、または自律的に決定されうる、選択されたダウンリンクキャリアをさらに非活性化することができる（１１５０）。セカンダリキャリアが非活性化されると、ＷＴＲＵ１１０は、ＤＴＸパターンを再構成することができる（１１６０）。
【００７９】
上で説明された実施形態のうちの１つ、または他の任意の方法を使用して、セカンダリアップリンクキャリアを非活性化する場合、ＷＴＲＵ１１０は、セカンダリアップリンクＤＰＣＣＨの送信、またはセカンダリアップリンクキャリアのために使用される任意のアップリンク制御信号の送信を停止することができ、および／または妥当な場合は、セカンダリアップリンクキャリアに関連するＥ−ＨＩＣＨ、Ｅ−ＲＧＣＨ、およびＥ−ＡＧＣＨの監視を停止、およびそれらの受信を停止することができる。加えて、ＷＴＲＵ１１０は、補助キャリアに関連するＨＡＲＱエンティティをフラッシュ（flush）することができる。ＷＴＲＵ１１０が、ダウンリンクのオペレーションのために、各アップリンクキャリア上でＨＳ−ＤＰＣＣＨを送信するように構成される場合、ＷＴＲＵ１１０は、セカンダリアップリンクキャリア上でのＨＳ−ＤＰＣＣＨの送信を停止することができる。ＤＣ−ＨＳＤＰＡが依然として活性化されている場合、ＷＴＲＵ１１０は、別個のＨＳ−ＤＰＣＣＨ符号を使用して、または代替として、３ＧＰＰリリース８のＨＳ−ＤＰＣＣＨ符号フォーマットを使用するキャリアごとに１つの符号を使用して、プライマリアップリンクキャリア上での、セカンダリダウンリンクキャリアのためのＨＳ−ＤＰＣＣＨの送信を開始することができる。任意選択的に、ＷＴＲＵ１１０は、セカンダリアップリンクキャリアが非活性化されたときに、セカンダリダウンリンクキャリアも同様に自律的に非活性化することができる。
【００８０】
加えて、非活性化がＲＲＣシグナリングを介して生じた場合、以下の動作を起こすことができる。ＷＴＲＵ１１０は、補助キャリアにおけるＥ−ＤＣＨの送信手順および受信手順を停止することができ、補助キャリアに関連するＨＡＲＱエンティティをフラッシュすることができ、補助キャリアに関連するＨＡＲＱエンティティのＨＡＲＱ処理を解放することができ、および／またはセカンダリキャリアに関連するＥ−ＲＮＴＩ値をクリアすることができる。
【００８１】
図１２は、セカンダリアップリンクキャリアの活性化に関連する手順を説明するフロー図である。ＷＴＲＵ１１０は、活性化するアップリンクキャリア（複数可）を決定する（１２１０）。ＷＴＲＵ１１０は、関連する制御チャネルのための初期送信電力を決定する（１２２０）。ＷＴＲＵ１１０は、アップリンクデータチャネルのための初期アップリンク送信電力を決定する（１２３０）。その後、ＷＴＲＵ１１０は、ＤＴＸパターンを設定する（１２４０）。
【００８２】
セカンダリアップリンクキャリアが活性化または初期に構成される場合、ＷＴＲＵ１１０は、セカンダリアップリンクキャリア上でのＥ−ＤＣＨ送信の開始よりも決められた数のスロットまたは決められた数のＴＴＩだけ前に、ＤＰＣＣＨ送信を開始することができる。決められた数のスロットまたはＴＴＩは、より上位のレイヤによって設定することができる。これによって、ＷＴＲＵ１１０が、セカンダリアップリンクキャリアにおいて正しい電力制御ループを確立し、および正しい電力レベルで送信を開始することを可能にできる。加えて、ＷＴＲＵ１１０が、同期が確認される前にＥ−ＤＣＨ送信を開始できるように、検証後（post-verification）期間を定義することができる。検証後期間の持続時間は、例えば、従来の同期手順Ａ、ＡＡ、またはＢにおいて使用される検証後期間よりも短くても、または長くてもよい。セカンダリアップリンクキャリアのために、高速活性化手順を定義することができる。そのような高速活性化は、以下で説明されるように、セカンダリＤＰＣＣＨキャリアにおける送信電力を確立するときに、ＷＴＲＵ１１０が、プライマリＤＰＣＣＨキャリアの送信電力からの情報を使用できるという事実に依存する。
【００８３】
セカンダリアップリンクキャリアの活性化時に初期ＤＰＣＣＨ送信電力を設定するための実施形態が、これ以降で開示される。
【００８４】
セカンダリアップリンクキャリアにおける初期ＤＰＣＣＨ送信電力は、活性化時よりも所定の数（ｎ）（ｎ≧０）のスロットだけ前のプライマリアップリンクキャリアにおけるＤＰＣＣＨ送信電力と同じ値に設定することができる。
【００８５】
あるいはまた、セカンダリアップリンクキャリアにおける初期ＤＰＣＣＨ送信電力は、活性化時よりも所定の数（ｎ）（ｎ≧０）のスロットだけ前のプライマリアップリンクキャリアにおけるＤＰＣＣＨ送信電力にオフセット（ｄＢ単位）をプラスまたはマイナスした値と同じ値に設定することができる。オフセットは、固定された所定の値とすることができる。あるいはまた、オフセットは、物理レイヤ、ＭＡＣレイヤ、またはＲＲＣレイヤにおいて、ネットワークによって伝達される値とすることができる。オフセットは、システム情報上でブロードキャストすることができる。ネットワークは、プライマリアップリンクキャリアと補助アップリンクキャリアの間の相対的なアップリンク干渉状態に（部分的に）基づいて、オフセット値を決定することができる。例えば、オフセットは、補助アップリンクキャリアにおける干渉レベルとプライマリアップリンクキャリアにおける干渉レベルの差を固定値に加えた値とすることができる。あるいはまた、オフセット値は、ネットワークによって伝達されたアップリンク干渉値に基づいて、ＷＴＲＵ１１０によって導出することができる。ネットワークは、対応するダウンリンクキャリアを介して、ＳＩＢ７（システム情報ブロック７）上で、アップリンクキャリアの各々における干渉を伝達することができる。あるいはまた、ネットワークは、値の取得を早めるために、プライマリキャリア（または補助キャリア）を介して、システム情報ブロック上で、両方のアップリンクキャリアにおける干渉を伝達することもできる。ネットワークは、活性化コマンドとともに、またはＷＴＲＵ１１０による暗示的な活性化に続いて、専用シグナリング（ＰＨＹ、ＭＡＣ、またはＲＲＣ）を使用して、両方のアップリンクキャリアにおける干渉を伝達することもできる。あるいはまた、オフセットは、最後に両方のアップリンクキャリアが活性化されたときに観測された、プライマリアップリンクキャリアと補助アップリンクキャリアのＤＰＣＣＨ電力レベルの差に基づいて、決定することができる。値は、一定の時間間隔にわたって平均することができる。あるいはまた、オフセットは、上記の方法のいずれか１つまたは他の任意の方法によって決定することができ、方法の選択は、補助アップリンクキャリアが最後に活性化されて以降に経過した時間量に依存することができる。ＷＴＲＵ１１０は、補助アップリンクキャリア（複数可）の非活性化時にタイマ（複数可）を起動し、タイマ（複数可）の満了時に、オフセットを決定するための対応する方法が選択される。
【００８６】
セカンダリアップリンクキャリアにおける初期ＤＰＣＣＨ送信電力は、活性化コマンドとともに、またはＷＴＲＵ１１０による暗示的な活性化に続いて、ＰＨＹ、ＭＡＣ、またはＲＲＣレイヤにおいてネットワークによって伝達された固定値に設定することができる。初期ＤＰＣＣＨ電力は、システム情報上でブロードキャストすることができる。ネットワークは、プライマリアップリンクキャリアと補助アップリンクキャリアの間の相対的なアップリンク干渉状態に（部分的に）基づいて、初期ＤＰＣＣＨ電力を決定することができる。
【００８７】
セカンダリアップリンクキャリアにおける初期ＤＰＣＣＨ送信電力は、プライマリアップリンクキャリアにおける初期ＤＰＣＣＨ電力のためにＲＲＣシグナリングを介して伝達された値と同じ値に設定することができる。
【００８８】
ネットワーク側では、セカンダリアップリンクキャリアの活性化時の初期ＤＰＤＣＨまたはＦ−ＤＰＣＨ送信電力は、以下の１つまたは組合せに従って決定することができる。セカンダリダウンリンクキャリアにおける初期Ｆ−ＤＰＣＨ送信電力は、活性化時よりも所定の数（ｎ）（ｎ≧０）のスロットだけ前のプライマリダウンリンクキャリアにおけるＦ−ＤＰＣＨ送信電力と同じ値に設定することができる。
【００８９】
セカンダリダウンリンクキャリアにおける初期Ｆ−ＤＰＣＨ送信電力は、活性化時よりも所定の数（ｎ）（ｎ≧０）のスロットだけ前のプライマリダウンリンクキャリアにおけるＦ−ＤＰＣＨ送信電力値にオフセット（ｄＢ単位）をプラスした値と同じ値に設定することができる。オフセットは、固定された所定の値とすることができる。あるいはまた、オフセットは、セカンダリアップリンクキャリアの明示的または暗示的な活性化に続いて、プライマリアップリンクキャリア上で、ＰＨＹ、ＭＡＣ（例えば、変更されたスケジューリング情報）、またはＲＲＣ（例えば、測定レポート）において、ＷＴＲＵ１１０によって伝達された値とすることができる。両方のダウンリンクキャリアにおける、測定されたＣＰＩＣＨ（共通パイロットチャネル）Ｅｃ／Ｎｏ、ＣＰＩＣＨ  ＲＳＣＰ（received signal code power）、ＣＱＩ（channel quality indicator）に基づいて、ＷＴＲＵ１１０はオフセット値を決定することができる。あるいはまた、オフセットは、ＷＴＲＵ１１０によって送信された測定レポートまたは他の情報に基づいて、ネットワークによって決定することができる。ＷＴＲＵ１１０は、セカンダリアップリンクキャリアの暗示的な活性化時に、またはネットワークからの明示的な活性化コマンドの受信時に、測定レポートの送信を駆動することができる。ＷＴＲＵ１１０は、セカンダリアップリンクキャリアの暗示的または明示的な活性化時に、プライマリアップリンクキャリアのＨＳ−ＤＰＣＣＨを介した、両方のダウンリンクキャリア（活性化するアップリンクキャリアに対応するプライマリおよびセカンダリダウンリンクキャリア）のためのＣＱＩ情報の送信を駆動することができる。
【００９０】
セカンダリアップリンクキャリアが活性化される場合、ＷＴＲＵ１１０は、初期Ｅ−ＤＣＨ送信のためのデフォルトのグラント値を使用することができ、デフォルトのグラント値は、セカンダリアップリンクキャリアが活性化されたときに使用するために、ＷＴＲＵ１１０に伝達された値である。デフォルトのグラント値は、セカンダリアップリンクキャリアの構成時に、ＲＲＣシグナリングを介して、ＷＴＲＵ１１０に伝達することができる。あるいはまた、ＷＴＲＵ１１０は、セカンダリアップリンクキャリアの活性化時に、プライマリアップリンクキャリアにおいて使用されているのと同じサービンググラントを使用することができる。あるいはまた、ＷＴＲＵ１１０は、スケジューリング情報を駆動し、セカンダリアップリンクキャリアのための絶対グラントを待つことができる。この場合では、セカンダリアップリンクキャリアの活性化は、スケジューリング情報を送信するようにＷＴＲＵ１１０を駆動することができる。
【００９１】
セカンダリアップリンクキャリアの活性化時に、ＷＴＲＵ１１０は、プライマリアップリンクキャリアと同じＤＴＸ状態を使用することができる。セカンダリアップリンクキャリアが活性化されるとき、ＷＴＲＵ１１０は、プライマリアップリンクキャリアにおけるものと同じＤＴＸおよび／またはＤＲＸパターンの使用を開始することができる。あるいはまた、ＷＴＲＵ１１０は、セカンダリアップリンクキャリアにおいて連続モードで開始することができ、または代替として、ＷＴＲＵ＿ＤＴＸ＿ｃｙｃｌｅ＿１もしくはＷＴＲＵ＿ＤＴＸ＿ｃｙｃｌｅ＿２で開始することができる。
【００９２】
デュアルアップリンクキャリアのオペレーションにおけるバッテリ節約および容量増加を最適化するために、ＤＴＸ／ＤＲＸパターンを制御するための実施形態が、これ以降で開示される。単一キャリアＷＴＲＵ１１０は、２つのＤＴＸサイクル（ＷＴＲＵ＿ＤＴＸ＿ｃｙｃｌｅ＿１およびＷＴＲＵ＿ＤＴＸ＿ｃｙｃｌｅ＿２）を有する物理レイヤＤＴＸと、パラメータＭＡＣ＿ＤＴＸ＿ｃｙｃｌｅによって制御されるＭＡＣレイヤＤＴＸとの２つのレベルのＤＴＸパターンを有する。
【００９３】
ある実施形態によれば、セカンダリアップリンクキャリアにおけるＷＴＲＵ１１０のアップリンクＤＰＣＣＨ送信パターンおよびバーストは、プライマリアップリンクキャリアにおけるアップリンクＤＰＣＣＨ送信パターンおよびバーストと揃えることができる。例えば、ネットワークは、すべてのアップリンクキャリアに適用できる１組のＤＴＸ／ＤＲＸパラメータを伝達する。ＭＡＣ＿ＤＴＸ＿ｃｙｃｌｅは、すべてのアップリンクキャリアに適用可能とすることができ、Ｅ−ＴＦＣ選択は、同時にすべてのアップリンクキャリアにおいて実行することができる。
【００９４】
ＷＴＲＵ１１０が、２つの物理レイヤＤＴＸサイクル（ＷＴＲＵ＿ＤＴＸ＿ｃｙｃｌｅ＿１およびＷＴＲＵ＿ＤＴＸ＿ｃｙｃｌｅ＿２）を有し、ＷＴＲＵ＿ＤＴＸ＿ｃｙｃｌｅ＿１の間に、設定された非活性期間の後にＷＴＲＵ＿ＤＴＸ＿ｃｙｃｌｅ＿２は駆動されるという事実に起因して、揃えられたＤＴＸパターンを処理するための方法は定義されうる。例えば、非活性期間は、両方のアップリンクキャリアに適用することができ、ＷＴＲＵ＿ＤＴＸ＿ｃｙｃｌｅ＿２のための非活性しきい値の定義は、すべてのアップリンクキャリア上においてＥ−ＤＣＨ送信が存在しない、連続するＥ−ＤＣＨ  ＴＴＩの数として定義することができる。非活性しきい値にわたって両方のアップリンクキャリア上においてＥ−ＤＣＨ送信が存在しない場合、ＷＴＲＵ１１０は、アップリンクキャリアのいずれにおいても、ＷＴＲＵ＿ＤＴＸ＿ｃｙｃｌｅ＿１からＷＴＲＵ＿ＤＴＸ＿ｃｙｃｌｅ＿２に直ちに移ることができる。あるいはまた、ＷＴＲＵ１１０は、各アップリンクキャリア上におけるＥ−ＤＣＨ送信を個別に追跡することができ、アップリンクキャリアの一つが、非活性しきい値にわたってＥ−ＤＣＨ送信を有さない場合、ＷＴＲＵ１１０は、両方のアップリンクキャリアをＷＴＲＵ＿ＤＴＸ＿ｃｙｃｌｅ＿２に移すことができる。あるいはまた、セカンダリアップリンクキャリアが、設定された期間にわたって非活性であった場合、セカンダリアップリンクキャリアは、ＷＴＲＵ＿ＤＴＸ＿ｃｙｃｌｅ＿２に移ることができる。アップリンクＤＰＣＣＨバーストパターンは、アップリンクキャリアにおいて同じとすることができる。
【００９５】
ＤＴＸ／ＤＲＸの活性化は、ダウンリンクキャリアのいずれかにおけるＨＳ−ＳＣＣＨ命令を介して伝達することができ、両方のアップリンクキャリアに適用可能とすることができる。これは、ＷＴＲＵ１１０が両方のアップリンクキャリアにおいて同じＤＴＸ／ＤＲＸ状態を有する場合に適用可能である。あるいはまた、アップリンクキャリアにおけるＤＴＸ／ＤＲＸ状態を独立に制御するために、ＨＳ−ＳＣＣＨ命令を使用することができる。例えば、ダウンリンクキャリアとアップリンクキャリアは対にされ、ダウンリンクキャリアに対する命令はいずれも、対応するアップリンクキャリアに適用可能とすることができる。
【００９６】
別の実施形態によれば、ＷＴＲＵ１１０は、パターンがずれる（すなわち、各アップリンクキャリア上でのＤＰＣＣＨ送信が同時に起こらない）ように、両方のアップリンクキャリアにおいて同一の期間を有するＤＴＸパターンを、異なるオフセットとともに使用することができる。この構成は、ＷＴＲＵ１１０がキャリアごとにＥ−ＤＣＨ開始時間制約（すなわち、ＭＡＣ  ＤＴＸ）を適用する、別の実施形態と組み合わせることができる。これは、ＷＴＲＵ１１０が、所与のアップリンクキャリアのためのすべてのサブフレームにおいてＥ−ＤＣＨ送信（またはＥ−ＴＦＣ選択）を実行するわけではないことを意味する。Ｅ−ＤＣＨ送信が許可されるサブフレームの組（すなわち、パターン）は、アップリンクキャリアの間で異なる（例えば、ずれる）ことができる。ＷＴＲＵ１１０は、両方のキャリア上でＥ−ＤＣＨ送信が同時に発生することを最小限にするまたは排除するために、対応するキャリアごとのＤＴＸパターンと一致するキャリアごとのＥ−ＤＣＨ開始時間制約パターンを使用することができる。
【００９７】
別の実施形態によれば、ＷＴＲＵ１１０は、プライマリアップリンクキャリアおよびセカンダリアップリンクキャリアに対して独立のＤＴＸサイクルを使用することができる。例えば、物理レイヤＤＴＸサイクル（ＷＴＲＵ＿ＤＴＸ＿ｃｙｃｌｅ＿１およびＷＴＲＵ＿ＤＴＸ＿ｃｙｃｌｅ＿２）は、両方のアップリンクキャリアについて異なる値を有することができる。この実施形態の目的では、ＷＴＲＵ＿Ｐ＿ＤＴＸ＿ｃｙｃｌｅ＿ｘおよびＷＴＲＵ＿Ｓ＿ＤＴＸ＿ｃｙｃｌｅ＿ｘは、それぞれプライマリアップリンクキャリアおよびセカンダリアップリンクキャリアに適用可能なＤＴＸサイクルのことであり、ｘはサイクル１または２を表す。
【００９８】
ネットワークは、ＷＴＲＵ＿Ｐ＿ＤＴＸ＿ｃｙｃｌｅ＿１もしくはＷＴＲＵ＿Ｐ＿ＤＴＸ＿ｃｙｃｌｅ＿２、またはＷＴＲＵ＿Ｓ＿ＤＴＸ＿ｃｙｃｌｅ＿１もしくはＷＴＲＵ＿Ｓ＿ＤＴＸ＿ｃｙｃｌｅ＿２を独立して伝達することができる。ＷＴＲＵ＿Ｓ＿ＤＴＸ＿ｃｙｃｌｅ＿ｘの値は、ＷＴＲＵ＿Ｐ＿ＤＴＸ＿ｃｙｃｌｅ＿ｘの値の整数倍または約数とすることができる。ネットワークは、プライマリアップリンクキャリアのための１組のＤＴＸサイクルを伝達することができる。ＷＴＲＵ１１０は、あらかじめ定義すること、またはより上位のレイヤによって伝達することができる係数Ｎに基づいて、セカンダリアップリンクキャリアのために使用されるサイクルを決定することができる。例えば、以下のようにすることができる。
ＷＴＲＵ＿Ｓ＿ＤＴＸ＿ｃｙｃｌｅ＿ｘ＝ＷＴＲＵ＿Ｐ＿ＤＴＸ＿ｃｙｃｌｅ＿ｘ×Ｎ    式（１）
【００９９】
あるいはまた、セカンダリアップリンクキャリアについて１つのＤＴＸサイクルを構成することができる。例えば、プライマリアップリンクキャリアは、ＤＴＸサイクル１および２を用いて構成することができるが、セカンダリアップリンクキャリアは、１つのＤＴＸサイクル（ＷＴＲＵ＿Ｓ＿ＤＴＸ＿ｃｙｃｌｅ）を用いて構成することができる。
【０１００】
ＷＴＲＵ１１０は、連続受信から、プライマリキャリアにおけるＷＴＲＵ＿ＤＴＸ＿ｃｙｃｌｅ＿１、およびセカンダリキャリアにおけるＷＴＲＵ＿Ｓ＿ＤＴＸ＿ｃｙｃｌｅに移ることができる。ＷＴＲＵ＿Ｓ＿ＤＴＸ＿ｃｙｃｌｅは、ＷＴＲＵ＿ＤＴＸ＿ｃｙｃｌｅ＿１、ＷＴＲＵ＿ＤＴＸ＿ｃｙｃｌｅ＿２、または異なるネットワーク設定値に等しくすることができる。
【０１０１】
非活性しきい値のためにＥ−ＤＣＨ送信が行われなくなった後、プライマリアップリンクキャリアは、ＤＴＸサイクル２に移ることができ、補助キャリアは、ＤＴＸサイクル２に移る代わりに、任意選択的に非活性化することができる。ＷＴＲＵ１１０は、低いＥ−ＤＣＨ活性化にあると見なされるので、ＷＴＲＵ１１０は、セカンダリアップリンクキャリアを非活性化することができる。
【０１０２】
ＭＡＣ  ＤＴＸサイクルおよびパターンは、両方のアップリンクキャリアについて同じとすることができる。これは、Ｅ−ＤＣＨデータが存在する場合には、グラント、電力などをおそらくは最適化しながら、ＷＴＲＵ１１０が、どちらのアップリンクキャリアにおいてもスケジューリングできるようにすることができる。あるいはまた、ＭＡＣ  ＤＴＸサイクルは、両方のアップリンクキャリアにおいて同様とすることができるが、両方のアップリンクキャリアの間のパターンは、設定されたオフセット値だけずらすことができる。あるいはまた、ＭＡＣ  ＤＴＸサイクルは、各アップリンクキャリアについて異なる値とすることができる。
【０１０３】
同じことが、ＷＴＲＵ１１０の物理レイヤＤＴＸサイクルにも適用可能とすることができる。ＷＴＲＵ１１０のセカンダリアップリンクキャリアのＤＴＸパターンは、ＷＴＲＵ１１０のプライマリアップリンクキャリアのＤＴＸパターンから所定のまたは設定されたオフセット値だけずらすことができる。
【０１０４】
あるいはまた、ＷＴＲＵ１１０は、各アップリンクキャリアの活性化に応じて、同じＤＴＸサイクルおよびオフセット設定を有することができる。ＷＴＲＵ１１０は、一方のアップリンクキャリアにおいては連続受信で、他方のアップリンクキャリアにおいてはＤＴＸサイクル１または２で動作していることを許容されることができる。あるいはまた、アンカーアップリンクキャリアは、ＤＴＸサイクル１を用いて、セカンダリアップリンクキャリアは、ＤＴＸサイクル２を用いて動作することができる。これは、データを送信しなくてよい場合は、アップリンクキャリアの一方において、ＷＴＲＵ１１０が、ＤＰＣＣＨおよび他の制御チャネルの送信を省くことを可能にすることができる。
【０１０５】
単一のアップリンクキャリアが活性化される場合、ＷＴＲＵ１１０が活性化されたＤＴＸを有し、スケジューリングされたＥ−ＤＣＨデータが送信されるならば、ＷＴＲＵ１１０は、「ＷＴＲＵ１１０のグラント監視についての非活性しきい値」であるＴＴＩにわたって、アクティブセット内のすべてのセルからのＥ−ＡＧＣＨおよびＥ−ＲＧＣＨを監視することができる。マルチキャリアまたはデュアルセルのオペレーションの場合、（使用されているアップリンクキャリアとは独立に）いずれかのＥ−ＤＣＨ送信が駆動されたならば、ＷＴＲＵ１１０は、「ＷＴＲＵ１１０のグラント監視についての非活性しきい値」であるＴＴＩにわたって、両方のアップリンクキャリアに関連するＥ−ＡＧＣＨおよびＥ−ＲＧＣＨを監視することができる。あるいはまた、ＷＴＲＵ１１０は、Ｅ−ＤＣＨ送信が存在していたアップリンクキャリアに関連するＥ−ＡＧＣＨおよびＥ−ＲＧＣＨを監視することができる。
【０１０６】
実施形態
１．アップリンク送信のために複数のアップリンクキャリアを、ダウンリンク受信のために複数のダウンリンクキャリアを利用するための方法。
【０１０７】
２．プライマリアップリンクキャリアおよびプライマリダウンリンクキャリアを活性化することを含む実施形態１に記載の方法。
【０１０８】
３．ネットワークからの命令に基づいて、セカンダリアップリンクキャリアを活性化または非活性化することを含む実施形態２に記載の方法。
【０１０９】
４．あらかじめ設定された状態の検出時に、セカンダリアップリンクキャリアを活性化または非活性化することを含む実施形態２または３のいずれか１つに記載の方法。
【０１１０】
５．命令は、ＨＳ−ＳＣＣＨ命令またはＥ−ＡＧＣＨメッセージを介して受信される、実施形態３または４のいずれか１つに記載の方法。
【０１１１】
６．命令がセカンダリアップリンクキャリアの非活性化を指示する場合に、セカンダリアップリンクキャリアに関連するダウンリンク制御シグナリングの監視を停止することをさらに含む実施形態３〜５のいずれか１つに記載の方法。
【０１１２】
７．ダウンリンク制御シグナリングは、セカンダリアップリンクキャリアに関連するＥ−ＨＩＣＨ、Ｅ−ＲＧＣＨ、またはＥ−ＡＧＣＨのうちの少なくとも１つを含む、実施形態６に記載の方法。
【０１１３】
８．命令がセカンダリアップリンクキャリアの非活性化を指示する場合に、セカンダリアップリンクＤＰＣＣＨおよびセカンダリアップリンクキャリアのために使用されるアップリンク制御信号の送信を停止することをさらに含む実施形態３〜７のいずれか１つに記載の方法。
【０１１４】
９．命令がセカンダリアップリンクキャリアの非活性化を指示する場合に、セカンダリアップリンクキャリアに関連するＨＡＲＱエンティティをフラッシュすることをさらに含む実施形態３〜８のいずれか１つに記載の方法。
【０１１５】
１０．命令がセカンダリアップリンクキャリアの活性化を指示する場合に、セカンダリアップリンクキャリア上でＥ−ＤＣＨ送信を開始するよりも所定の期間だけ前から開始するＤＰＣＣＨ送信を開始することをさらに含む、実施形態３〜９のいずれか１つに記載の方法。
【０１１６】
１１．セカンダリアップリンクキャリアにおける初期ＤＰＣＣＨ送信電力は、セカンダリアップリンクキャリアの活性化時刻よりも所定の数のスロットだけ前のプライマリアップリンクキャリアにおけるＤＰＣＣＨ送信電力にオフセットをプラスまたはマイナスした値と同じ値に設定される、実施形態１０に記載の方法。
【０１１７】
１２．オフセットは、固定値またはネットワークから受信した値である、実施形態１１に記載の方法。
【０１１８】
１３．ＷＴＲＵは、セカンダリアップリンクキャリアを活性化した後のセカンダリアップリンクキャリア上での初期Ｅ−ＤＣＨ送信のために、デフォルトのグラント値を使用する、実施形態３〜１２のいずれか１つに記載の方法。
【０１１９】
１４．セカンダリアップリンクキャリアが設定された期間にわたって非活性であった場合に、セカンダリアップリンクキャリア上でＤＴＸを実行することをさらに含む、実施形態３〜１３のいずれか１つに記載の方法。
【０１２０】
１５．ＤＴＸのためのアップリンクＤＰＣＣＨバーストパターンは、プライマリアップリンクキャリアとセカンダリアップリンクキャリアにおいて同じである、実施形態３〜１４のいずれか１つに記載の方法。
【０１２１】
１６．アップリンク送信のために複数のアップリンクキャリアを、ダウンリンク受信のために複数のダウンリンクキャリアを利用するように構成されたＷＴＲＵ。
【０１２２】
１７．プライマリアップリンクキャリアおよび少なくとも１つのセカンダリアップリンクキャリア上で送信するように構成された送信機を備えた実施形態１６に記載のＷＴＲＵ。
【０１２３】
１８．プライマリダウンリンクキャリアおよび少なくとも１つのセカンダリダウンリンクキャリア上で受信するように構成された受信機を備えた実施形態１６または１７のいずれか１つに記載のＷＴＲＵ。
【０１２４】
１９．ネットワークからの命令に基づいて、セカンダリアップリンクキャリアを活性化または非活性化するように構成されたプロセッサを備えた実施形態１７または１８のいずれか１つに記載のＷＴＲＵ。
【０１２５】
２０．あらかじめ設定された状態の検出時に、セカンダリアップリンクキャリアを活性化または非活性化するように構成されたプロセッサを備えた実施形態１７または１８のいずれか１つに記載のＷＴＲＵ。
【０１２６】
２１．命令は、ＨＳ−ＳＣＣＨ命令またはＥ−ＡＧＣＨメッセージを介して受信される、実施形態１９または２０のいずれか１つに記載のＷＴＲＵ。
【０１２７】
２２．プロセッサは、命令がセカンダリアップリンクキャリアの非活性化を指示する場合に、セカンダリアップリンクキャリアに関連するダウンリンク制御シグナリングの監視を停止するように構成される、実施形態１９〜２１のいずれか１つに記載のＷＴＲＵ。
【０１２８】
２３．ダウンリンク制御シグナリングは、セカンダリアップリンクキャリアに関連するＥ−ＨＩＣＨ、Ｅ−ＲＧＣＨ、またはＥ−ＡＧＣＨのうちの少なくとも１つを含む、実施形態２２に記載のＷＴＲＵ。
【０１２９】
２４．プロセッサは、命令がセカンダリアップリンクキャリアの非活性化を指示する場合に、セカンダリアップリンクＤＰＣＣＨおよびセカンダリアップリンクキャリアのために使用されるアップリンク制御信号の送信を停止するように構成される、実施形態１９〜２３のいずれか１つに記載のＷＴＲＵ。
【０１３０】
２５．プロセッサは、命令がセカンダリアップリンクキャリアの非活性化を指示する場合に、セカンダリアップリンクキャリアに関連するＨＡＲＱエンティティをフラッシュするように構成される、実施形態１９〜２４のいずれか１つに記載のＷＴＲＵ。
【０１３１】
２６．プロセッサは、命令がセカンダリアップリンクキャリアの活性化を指示する場合に、セカンダリアップリンクキャリア上でＥ−ＤＣＨ送信を開始するよりも所定の期間だけ前から開始するＤＰＣＣＨ送信を開始するように構成される、実施形態１９〜２５のいずれか１つに記載のＷＴＲＵ。
【０１３２】
２７．プロセッサは、セカンダリアップリンクキャリアにおける初期ＤＰＣＣＨ送信電力を、セカンダリアップリンクキャリアの活性化時刻よりも所定の数のスロットだけ前のプライマリアップリンクキャリアにおけるＤＰＣＣＨ送信電力にオフセットをプラスまたはマイナスした値と同じ値に設定するように構成される、実施形態２６に記載のＷＴＲＵ。
【０１３３】
２８．オフセットは、固定値またはネットワークから受信した値である、実施形態２７に記載のＷＴＲＵ。
【０１３４】
２９．プロセッサは、セカンダリアップリンクキャリアを活性化した後のセカンダリアップリンクキャリア上での初期Ｅ−ＤＣＨ送信のために、デフォルトのグラント値を使用するように構成される、実施形態１９〜２８のいずれか１つに記載のＷＴＲＵ。
【０１３５】
３０．プロセッサは、セカンダリアップリンクキャリアが設定された期間にわたって非活性であった場合に、セカンダリアップリンクキャリア上でＤＴＸを実行するように構成される、実施形態１９〜２９のいずれか１つに記載のＷＴＲＵ。
【０１３６】
３１．プロセッサは、プライマリアップリンクキャリアとセカンダリアップリンクキャリアにおいて同じアップリンクＤＰＣＣＨバーストパターンを使用して、ＤＴＸを実行するように構成される、実施形態１９〜３０のいずれか１つに記載のＷＴＲＵ。
【０１３７】
上では機能および要素が特定の組合せで説明されたが、各機能または要素は、他の機能および要素を伴わずに単独で、または他の機能および要素を伴ってもしくは伴わずに様々な組合せで使用することができる。本明細書で提供された方法およびフローチャートは、汎用コンピュータまたはプロセッサによって実行するための、コンピュータ可読記憶媒体内に含まれるコンピュータプログラム、ソフトウェア、またはファームウェアで実施することができる。コンピュータ可読記憶媒体の例は、ＲＯＭ（read only memory）、ＲＡＭ（random access memory）、レジスタ、キャッシュメモリ、半導体メモリ装置、内蔵ハードディスクおよび着脱可能ディスクなどの磁気媒体、光磁気媒体、ならびにＣＤ−ＲＯＭディスクおよびＤＶＤ（digital versatile disk）などの光媒体を含む。
【０１３８】
適切なプロセッサは、例えば、汎用プロセッサ、専用プロセッサ、従来型プロセッサ、ＤＳＰ（デジタル信号プロセッサ）、複数のマイクロプロセッサ、ＤＳＰコアと連携する１つもしくは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプＩＣ（集積回路）、および／または状態機械を含む。
【０１３９】
ソフトウェアと連携するプロセッサは、ＷＴＲＵ、ＵＥ、端末、基地局、ＲＮＣ、または任意のホストコンピュータで使用するための、無線周波数トランシーバを実施するために使用することができる。ＷＴＲＵは、カメラ、ビデオカメラモジュール、テレビ電話、スピーカフォン、バイブレーション装置、スピーカ、マイクロフォン、テレビトランシーバ、ハンズフリーヘッドセット、キーボード、Ｂｌｕｅｔｏｏｔｈ（登録商標）モジュール、ＦＭ（周波数変調）ラジオユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）もしくはＵＷＢ（超広帯域）モジュールなど、ハードウェアおよび／またはソフトウェアで実施されるモジュールと併せて使用することができる。
【図１】
0005580449.tif 000002
【図２】
0005580449.tif 000003
【図３】
0005580449.tif 000004
【図４】
0005580449.tif 000005
【図５】
0005580449.tif 000006
【図６】
0005580449.tif 000007
【図７】
0005580449.tif 000008
【図８】
0005580449.tif 000009
【図９】
0005580449.tif 000010
【図１０】
0005580449.tif 000011
【図１１】
0005580449.tif 000012
【図１２】
0005580449.tif 000013